(57)【要約】 【課題】  測定の効率化を図るための測定支援装置を提供する。【解決手段】  測定支援装置４００は、受信手段と、表示手段と、を備える。受信手段は、中央管理装置３００から送信される測定支援情報を受信する。表示手段は、受信手段にて受信した測定支援情報を表示する。測定支援装置４００は、小型であり、可搬性を有する。【選択図】  図１
2006260278.tif 000002
【特許請求の範囲】
【請求項１】
測定対象物を測定する際に必要となる測定支援情報を保持する中央管理手段から送信される前記測定支援情報を受信する受信手段と、
前記受信手段にて受信した前記測定支援情報を表示する表示手段と、を備え、かつ、可搬性を有する
ことを特徴とする測定支援装置。
【請求項２】
請求項１に記載の測定支援装置において、
前記表示手段に表示される前記測定支援情報は、測定対象物の測定箇所、その測定箇所における必要測定回数、および、その測定箇所を測定した測定データのうちいずれか一以上である
ことを特徴とする測定支援装置。
【請求項３】
測定対象物を測定する際に必要となる測定支援情報を保持する中央管理手段と、
請求項１または２に記載の測定支援装置と、
前記測定支援情報に従って前記測定対象物を測定して取得した測定データを送信する送信手段を有し、かつ、可搬性を有する測定器と、を備える
ことを特徴とする測定システム。
【発明の詳細な説明】
【技術分野】
【０００１】
本発明は、測定支援装置および測定システムに関する。例えば、測定器による測定データを一括管理する測定システムに使用される測定支援装置に関する。
【背景技術】
【０００２】
測定器による測定データを一括管理する測定システムが知られている。
このような測定システムは、送信手段を有する測定器と、測定器からの測定データを受信して測定データを一括管理するデータ処理端末と、を備えている（例えば、特許文献１）。
測定器としては、例えば、ノギス、マイクロメータ、ダイヤルゲージなどの小型測定器が例として挙げられる。
測定器は、測定して得られた測定データを無線電波によって送信する送信手段を有する。
データ処理端末は、ＣＰＵ（中央処理部）およびメモリ（記憶装置）を備える端末本体と、表示ディスプレイと、入力手段と、無線電波を受信する受信手段と、を備えている。
端末本体のメモリには、測定対象物の測定項目（測定部位、測定回数）が設定入力されており、測定項目は順に表示部に表示される。
測定項目としては、測定対象物の測定ポイント、および、その測定ポイントにおける段差、隙間、孔（ねじ孔）の径や深さなどの測定部位、その測定ポイントにおける測定回数などが例として挙げられる。
そして、データ処理端末は、測定器から送信される測定データを受信手段にて順次受信して、測定項目と対にして所定のデータファイルとして管理するとともに所定の解析処理を行う。
【０００３】
このような構成において、測定者は、まず、データ処理端末の表示部に順に表示される測定項目をみて測定ポイントを確認する。
そして、表示ディスプレイで表示された測定ポイントを測定器によって測定する。
すると、測定器により得られた測定データは順次送信手段からデータ処理端末に送信され、データ処理端末において一括管理される。
このような構成によれば、表示ディスプレイに順次表示される測定項目に従った順序で測定を進めればいいので、測定ポイントを飛ばすなどといった測定ミスを防止することができる。
また、測定器で得られた測定データをデータ処理端末に送信して一括管理するので、一回一回の測定データを書き取ってメモするなどという手間が省かれるのはもちろんであり、さらには、受信した測定データをデータ処理端末にて即座に解析処理できるので、大量の測定データを簡便かつ迅速に処理することができる。
【０００４】
【特許文献１】特開２００２−５６４６号公報
【発明の開示】
【発明が解決しようとする課題】
【０００５】
しかしながら、データ処理端末の表示ディスプレイを視認できる位置に測定者がいなければ、表示ディスプレイに表示される測定項目を確認することができない。
そのため、データ処理端末の近くで測定作業する場合には良いが、データ処理端末から少しでも離れた位置で測定作業を行う場合には表示ディスプレイが見えないので不都合が生じる。例えば、飛行機や車のボディなどの大型の測定対象物について複数ポイントを測定する場合には、測定対象物を間にして測定ポイントとデータ処理端末とが互いに反対側となることがしばしば起こる。すると、測定項目を確認するために測定作業を逐次中止して測定ポイントとデータ処理端末との間を行ったり来たりしなければならない。
そのため、測定データを送受信してデータ処理端末によってデータを一括管理していても、測定ポイントとデータ処理端末とが離れてしまうと、測定に時間がかかり、測定効率が非常に悪い。
【０００６】
本発明の目的は、測定の効率化を図るための測定支援装置、測定システムを提供することにある。
【課題を解決するための手段】
【０００７】
本発明の測定支援装置は、測定対象物を測定する際に必要となる測定支援情報を保持する中央管理手段から送信される前記測定支援情報を受信する受信手段と、前記受信手段にて受信した前記測定支援情報を表示する表示手段と、を備え、かつ、可搬性を有することを特徴とする。
【０００８】
本発明では、前記表示手段に表示される前記測定支援情報は、測定対象物の測定箇所、その測定箇所における必要測定回数、および、その測定箇所を測定した測定データのうちいずれか一以上であることが好ましい。
【０００９】
本発明の測定システムは、測定対象物を測定する際に必要となる測定支援情報を保持する中央管理手段と、前記測定支援装置と、前記測定支援情報に従って前記測定対象物を測定して取得した測定データを送信する送信手段を有し、かつ、可搬性を有する測定器と、を備えることを特徴とする。
【００１０】
上記構成において、中央管理手段は、測定者が測定対象物を測定するにあたって必要となる測定支援情報を保持している。測定支援情報には、測定箇所、測定項目、測定回数等の情報が含まれ、さらに、測定器からの測定データを受信した際には、この測定データも測定支援情報として保持する。中央管理手段に保持される測定支援情報は測定支援装置に送信されて測定支援装置で受信される。すると、測定支援装置の表示手段に測定支援情報が表示される。
ここで、測定支援情報は可搬性を有するので、測定者は測定支援装置を携帯でき、測定者は測定対象物の測定にあたって表示手段に表示された測定支援情報を手元で容易に確認することができる。
【００１１】
従来は、中央管理手段に固定的に設けられた表示手段にのみ測定支援情報が表示されていたので、測定者が測定支援情報を確認できる限られた範囲内で測定を行わねばならないという問題が生じ、あるいは表示手段の測定支援情報を確認するために中央管理装置まで逐次戻らなければならないという問題が生じていた。
この点、本発明では、測定者は、可搬性の測定支援装置を携帯して測定ポイントに移動し、その場で測定支援装置の表示手段に表示された測定支援情報を確認することができる。よって、常に測定支援情報を見ながら測定作業を行うので、測定ミスを防止して測定効率を向上させることができる。
携帯した測定支援装置によって測定支援情報を確認できるので、中央管理装置から離れて測定する必要があるような大きな物でも測定対象物とすることができる。
そして、測定支援情報を確認するために測定作業を中断して中央管理手段と測定ポイントとの間とを往復する必要もないので、測定作業の効率化を図ることができる。
【発明を実施するための最良の形態】
【００１２】
以下、本発明の実施の形態を図示するとともに図中の各要素に付した符号を参照して説明する。
（第１実施形態）
本発明の測定システムに係る第１実施形態について図１から図４を参照して説明する。
図１は、この測定システム１００を用いて測定対象物を測定している様子を示す図である。なお、図１中において、測定対象物５００としては、大型のトラックを例示しているが、このような測定対象物５００の大きさや形状は特に限定されない。
【００１３】
測定システム１００は、測定器２００と、中央管理装置（中央管理手段）３００と、測定支援装置４００と、を備えて構成されている。
【００１４】
測定器２００は、可搬性を有する小型の測定器（スモールツール）であり、ハイトゲージ、ホールテスト、ノギス、マイクロメータ等が例として挙げられる。測定器２００は、測定によって得られた測定データを中央管理装置３００に向けて送信する送信手段（不図示）を有している。
【００１５】
中央管理装置３００は、中央制御部３１０と、表示手段３２０と、送受信手段３３０と、を備えている。中央制御部３１０は、例えば、ＣＰＵ（中央処理装置）およびメモリ（記憶装置）を備えたコンピュータであり、中央制御部３１０は、測定対象物５００を測定するにあたって必要となる測定支援情報を保持している。
測定支援情報としては、測定対象物５００の測定ポイント、および、その測定ポイントにおける測定の項目である段差、隙間、孔（ねじ孔）の径や深さなど、予め設定入力されている測定指示情報の他、測定器２００から送信された測定データも含まれる。
ここで、図３に、測定対象物５００をトラックとした場合に測定指示情報として設定される測定ポイントの例を示す。
測定支援情報は、表示手段３２０に順次表示されるとともに、送受信手段３３０により測定支援装置４００に向けて送信される。また、測定器２００で取得された測定データは測定器２００から送信されるところ、送受信手段３３０によって測定データが受信されると、受信された測定データが中央制御部３１０に順次記憶される。記憶された測定データには、中央制御部３１０において所定の解析処理がなされる。解析処理としては、得られた測定データが、その測定ポイントにおける公差内に入っているかどうかの判定を行うことが例として挙げられる。そして、この解析結果は、表示手段３２０に表示されるとともに測定支援装置４００に順次送信される。
【００１６】
測定支援装置４００は、受信手段４１０と、表示手段４２０と、を備えた小型の情報処理端末であって測定者が常に携帯できる可搬性を有する。このような測定支援装置４００として、例えば、ＰＤＡ(personal digital assistant)を用いることが例として挙げられる。
図２は、測定支援装置４００の表示手段４２０による表示の例を示す図である。
測定支援装置４００は、中央管理装置３００から送信された測定支援情報を受信して、この測定支援情報を順次表示手段４２０に表示する。
例えば、図２に示されるように、表示手段４２０は、その表示領域を二分割し、上段４２１に測定指示情報として、測定ポイントの指示（図３参照）を表示する。また、測定支援装置４００は、中央管理装置３００から送信された測定データの解析結果を表示手段４２０に表示する。例えば、図２に示されるように、表示手段４２０は、その表示領域を二分割して、その下段４２２に測定器２００による測定結果を表示する。このとき、図４に示されるように、実際の測定によって得た測定データ（ＡＣＴ）に加えて、測定ポイントの設計値（Ｎｏｍ）、下限公差（ＬＴＬ）、上限公差（ＵＴＬ）をあわせて表示することが例として挙げられる。
【００１７】
このような構成を備える測定システム１００を使用する態様について説明する。
測定者は、測定器２００と測定支援装置４００とを携帯して、測定対象物５００の測定にあたる。このとき、測定支援装置４００の表示手段４２０には、中央管理装置３００から送信される測定指示の表示がなされている（図２、図３参照）。そこで、測定者は、測定支援装置４００の表示手段４２０に表示された測定指示、例えば、測定ポイントを確認して、測定器２００による測定を行う。測定器２００にて測定値が取得されると、この測定値は送信手段により中央管理装置３００に送信される。そして、中央管理装置３００の中央制御部３１０において、測定データに所定の解析処理がなされたうえで、測定結果および解析結果が測定支援装置４００に送信される。すると、測定支援装置４００の表示手段４２０には、送信された測定結果および解析結果が表示される。測定者は、測定結果の表示を確認して、中央管理装置３００に測定データが記憶されたことを確認しつつ、解析結果を見て測定が正しく行われたことを確認する。そして、測定支援装置４００の表示手段４２０に表示された次の測定ポイントに移動し、次の測定ポイントでの測定を行う。
【００１８】
このような構成を備える測定システム１００によれば、次の効果を奏することができる。
（１）測定者は、可搬性の測定支援装置４００を携帯して測定ポイントに移動することができる。従って、常に測定支援情報を見ながら測定作業を行うことができるので、測定ミスを防止して測定効率を向上させることができる。
【００１９】
（２）中央管理装置３００から離れて測定する必要があるような大きな物（例えばトラック）を測定対象物５００とする場合であっても、測定支援情報は測定支援装置４００の表示手段４２０で確認できるので、測定支援情報を確認するために測定作業を中断して中央管理装置３００と測定ポイントとの間とを往復する必要がない。その結果、測定作業の効率化を図ることができる。
【００２０】
なお、本発明は前述の実施形態に限定されず、本発明の目的を達成できる範囲での変形、改良等は本発明に含まれる。
データの送受信は無線電波を介した送受信であってもよく、ワイヤ等の通信媒体を介してデータを送受信してもよい。
測定支援情報（測定指示情報、測定データ）は中央管理装置の中央制御部に保持されるとしたが、例えば、サーバ上に構築されたデータベースに測定支援情報が格納されてもよい。
【００２１】
上記実施形態では、一つの中央管理装置に一つの測定支援装置が組み合わされているが、一つの中央管理装置で複数の測定支援装置をコントロールしてもよい。
測定支援装置が受信手段を有し、中央管理手段から送信される測定支援情報を受信する場合を例に説明したが、さらに、測定支援装置が入力操作部と送信手段とを有し、入力操作部による入力操作によって中央管理手段との間でデータを送受信してもよいことはもちろんである。
【産業上の利用可能性】
【００２２】
本発明は、測定器による測定データを一括管理する測定システムに使用できる。
【図面の簡単な説明】
【００２３】
【図１】第１実施形態の測定システムを用いて測定対象物を測定している様子を示す図。
【図２】第１実施形態において、測定支援装置の表示手段による表示の例を示す図。
【図３】第１実施形態において、測定対象物をトラックとした場合に設定される測定ポイントの例を示す図。
【図４】第１実施形態において、測定支援装置の表示手段に測定結果を表示した例を示す図。
【符号の説明】
【００２４】
１００…測定システム、２００…測定器、３００…中央管理装置、３１０…中央制御部、３２０…表示手段、３３０…送受信手段、４００…測定支援装置、４１０…受信手段、４２０…表示手段。
【図１】
2006260278.tif 000003
【図２】
2006260278.tif 000004
【図３】
2006260278.tif 000005
【図４】
2006260278.tif 000006